(57)【要約】 【課題】  本発明は、自分が好きだと思う人に良き印象を与え、相手の関心を自分に引き付けるような服装、髪型、装身具（指輪、ネックレス、ピアス、時計）、バッグ等を選択する際の支援システムの提供することにより、ハイセンスなコーティネーションを行うことを可能にする。【解決手段】  自分が好きだと思う人に良き印象を与え、相手の関心を自分に引き付けるような服装、髪型、装身具（指輪、ネックレス、ピアス、時計）、バッグ等を選択する際の支援システムの提供することにより、ハイセンスなコーティネーションを行うことを可能にするコーディネーション支援システムを提供する。結婚相談所とメンバーおよび化粧品店、衣装店、宝飾店、貸衣装店、美容室、理容室等が端末とが、ネットワークされており、環境データを外部データベースから取得し、入力情報と合わせて解析処理可能な中央演算処理装置から成る。【選択図】  図１ 
2006031314.tif 000002
【特許請求の範囲】
【請求項１】
以下の１〜４のデータを入力する手段を有しており、
１．結婚相談所にメンバー登録する手段、
２．自分の特徴（顔写真、背の高さ、性格、血液型、趣味、年齢、好きな音楽、好きなタレント、結婚観、年収、保有しているお出かけ用の洋服・着物・装身具・時計・バッグ等）のデータを入力する手段、
３．自分が好む相手の特徴（顔のタイプ、背の高さ、性格、血液型、趣味、年齢、年収等）のデータを入力する手段、
４．営業店の在庫、提供できるサービス等のデータを入力する手段、
以下５〜６の環境データを外部情報データベースから取得する手段を有しており、
５．現在流行している洋服・着物・装身具・時計・バッグ・ヘアースタイル等のデータを取得する手段、
６．現在の季節、天候等の季報情報を取得する手段、
以下の７〜１３のステップを有しており、
７．自分の特徴と自分が好む相手の特徴を照合することによって絞り込まれた相手の表示により、選択した相手を入力し、それによって、相手側にその選択者の情報が表示され、相手側が、プロポウザルに対して同意または不同意を入力し、それによってデートする相手を確定させるステップ、
８．デートしたい日時、場所等について、双方により、それを確定させるステップ、
９．それにより、デートする時のコーディネーションを画面に表示するステップ、
１０．選択したコーディネーションについて、自分の保有していない品物を画面に表示するステップ、
１１．その品物を購入したい場合は、在庫のある店を表示するステップ、
１２．在庫がなく注文したい場合には、インターネットを通じて注文するステップ、
１３．必要に応じコーディネーション画面に表示されたヘアースタイルに仕上げてもらうための美容院もしくは理容室を選択し、予約するステップ
とからなることを特徴とする、コーディネーション支援システム。
【請求項２】
該システムは、結婚相談所とメンバーおよび化粧品店、衣装店、宝飾店、貸衣装店、美容室、理容室等が端末とが、ネットワークされており、環境データを外部データベースから取得し、その他の入力情報と合わせて解析処理可能なソウトウェアを搭載した中央演算処理装置を有していることを特徴とする、請求項１記載のコーディネーション支援システム。
【請求項３】
該システムが開放型システム（open systems）であることを特徴とする、請求項１および請求項２記載のコーディネーション支援システム。
【発明の詳細な説明】
【技術分野】
【０００１】
本発明は、結婚したいと思っている相手とデートする時などに、相手の印象を良くするためのコーディネーションを支援するシステムに関する。
【背景技術】
【０００２】
服装をコーディネートするシステムは、すでに開示されている。代表的なものとしては、
特開２００２−２１５７７０号公報（特許文献１）には、利用者が所有する服飾品について、当該服飾品の画像を含むアイテムデータを取得してデータベースに登録するステップと、気候に関する気候データと、利用者の行動に関する行動データと、利用者の服装の好みに関するデータと、流行に関する流行データと、の少なくとも１つを取得する取得ステップと、前記取得ステップにより取得されたデータと前記アイテムデータに基づいて、利用者が所有する服飾品の組み合わせを行い、組み合わせ結果を利用者の端末に提供して表示させる提供ステップと、を備えることを特徴とするコーディネートサービス方法。
【０００３】
利用者が所有する服飾品について、当該服飾品の画像を含むアイテムデータを取得してデータベースに登録するステップと、レンタル品である服飾品について、当該レンタル品の画像を含むレンタルアイテムデータを取得して前記データベースに登録するステップと、気候に関する気候データと、利用者の行動に関する行動データと、利用者の服装の好みに関するデータと、流行に関する流行データと、の少なくとも１つを取得する取得ステップと、前記取得ステップにより取得されたデータと前記アイテムデータと前記レンタルアイテムデータに基づいて、利用者が所有する服飾品とレンタル品を用いたアイテムの組み合わせを行い、組み合わせ結果を利用者の端末に提供して表示させる提供ステップと、利用者の端末に提供された組み合わせ結果のうち、利用者が採用したアイテムの組み合わせにレンタル品が含まれているかを判別し、含まれている場合、前記レンタル品を前記利用者へ配送させるステップと、を備えることを特徴とするコーディネートサービス方法が開示されている。
【０００４】
しかしながら、自分が好きだと思う人に良き印象を与え、相手の関心を自分に引き付けるような服装、髪型、装身具（指輪、ネックレス、ピアス、時計）、バッグ等を選択する際の支援システムの提案はまだ出されていない。したがって、ハイセンスなコーティネーションを行いデートで相手の心をとらえることに成功する確率の高いコーディネーションは最終的には、自分なりの判断に頼らざるを得ないのが現状であった。
【０００５】
このことは、社会的にきわめて重要な意味があり、すなわち、結婚年齢の高齢化や、それに伴う少子化の問題にもつながっており、これは、将来、年金問題などのきわめて、解決困難な問題を内包している。
【特許文献１】特開２００２−２１５７７０号公報
【発明の開示】
【発明が解決しようとする課題】
【０００６】
本発明は、自分が好きだと思う人に良き印象を与え、相手の関心を自分に引き付けるような服装、髪型、装身具（指輪、ネックレス、ピアス、時計）、バッグ等を選択する際の支援システムの提供することにより、ハイセンスなコーティネーションを行うことを可能にする。
【課題を解決するための手段】
【０００７】
本発明者らは、ハイセンスなコーディネーションを支援するシステムである。本発明は、下記を構成要件の要旨とするものである。
（１）以下の１〜４のデータを入力する手段を有しており、
１．結婚相談所にメンバー登録する手段、
２．自分の特徴（顔写真、背の高さ、性格、血液型、趣味、年齢、好きな音楽、好きなタレント、結婚観、年収、保有しているお出かけ用の洋服・着物・装身具・時計・バッグ等）のデータを入力する手段、
３．自分が好む相手の特徴（顔のタイプ、背の高さ、性格、血液型、趣味、年齢、年収等）のデータを入力する手段、
４．営業店の在庫、提供できるサービス等のデータを入力する手段、
以下５〜６の環境データを外部情報データベースから取得する手段を有しており、
５．現在流行している洋服・着物・装身具・時計・バッグ・ヘアースタイル等のデータを取得する手段、
６．現在の季節、天候等の季報情報を取得する手段、
以下の７〜１３のステップを有しており、
７．自分の特徴と自分が好む相手の特徴を照合することによって絞り込まれた相手の表示により、選択した相手を入力し、それによって、相手側にその選択者の情報が表示され、相手側が、プロポウザルに対して同意または不同意を入力し、それによってデートする相手を確定させるステップ、
８．デートしたい日時、場所等について、双方により、それを確定させるステップ、
９．それにより、デートする時のコーディネーションを画面に表示するステップ、
１０．選択したコーディネーションについて、自分の保有していない品物を画面に表示するステップ、
１１．その品物を購入したい場合は、在庫のある店を表示するステップ、
１２．在庫がなく注文したい場合には、インターネットを通じて注文するステップ、
１３．必要に応じコーディネーション画面に表示されたヘアースタイルに仕上げてもらうための美容院もしくは理容室を選択し、予約するステップ
とからなることを特徴とする、コーディネーション支援システム。
（２）該システムは、結婚相談所とメンバーおよび化粧品店、衣装店、宝飾店、貸衣装店、美容室、理容室等が端末とが、インターネットでネットワークされており、環境データを外部データベースから取得し、その他の入力情報と合わせて解析処理可能なソウトウェアを搭載した中央演算処理装置を有していることを特徴とする、コーディネーション支援システム。
（３）該システムが開放型システム（open systems）であることを特徴とする、コーディネーション支援システム。
【０００８】
開放型システム（open systems）とは、閉鎖型システム（closed systems） に対するものである。これまでの科学技術は問題の領域を定義し、切り取り、 抽象化することによって問題を解いた。しかしながら、近年我々は定義しきれない問題、切り取ることができない問題を解かねばならない状況に至っている。その一般的な例としては社会、経済現象や生命の問題を挙げることが出来る。コンピュータシステムに関して言えば,それぞれ全く別の方向にある典型的な二つの方向を挙げることが出来る。第一の方向は広域,分散,移 動コンピューティング環境である。時々刻々ネットワークトポロジーが変わり、接続されるコンピュータやそのサービスが変わる環境の下で、ダ
イナミックで有機的なマルチメディア情報ベースを利用しながら仕事を行っていくことになる。そのようなシステムは、個々の要素システムについての
十分な知識を持っていたとしても全体の振舞が予測できないという意味で開放型である。第二の方向は、利用者に対する利用環境に関するものである、真に使いやすい利用者環境を提供するためには、利用者すなわち人間について良く知らなければならない。ところが人間自体の定義はなく、極めて多元的で、その行動
は状況や時間に強く依存する。人間を還元論にのみ立脚して理解し、定義づけようとすることには無理がある。ここでも人間自体を開放型システムであると捉える必要がある。
【発明の効果】
【０００９】
本発明は、以下の構成を要旨とする。自分が好きだと思う人に良き印象を与え、相手の関心を自分に引き付けるような服装、髪型、装身具（指輪、ネックレス、ピアス、時計）、バッグ等を選択する際の支援システムの提供することにより、ハイセンスなコーティネーションを行うことを可能にし、結婚年齢の高齢化や、それに伴う少子化の問題にもつながっており、これは、将来、年金問題などのきわめて、解決困難な問題を解決する一助となす。また、関連する消費を拡大し、化粧品、装飾品、服、貸衣装、理容、美容を扱う業界には、業績の向上をもたらし、日本経済の活性化にもつながる。
【発明を実施するための最良の形態】
【００１０】
（１）以下の１〜４のデータを入力する手段を有しており、
１．結婚相談所にメンバー登録する手段、
２．自分の特徴（顔写真、背の高さ、性格、血液型、趣味、年齢、好きな音楽、好きなタレント、結婚観、年収、保有しているお出かけ用の洋服・着物・装身具・時計・バッグ等）のデータを入力する手段、
３．自分が好む相手の特徴（顔のタイプ、背の高さ、性格、血液型、趣味、年齢、年収等）のデータを入力する手段、
４．営業店の在庫、提供できるサービス等のデータを入力する手段、
以下５〜６の環境データを外部情報データベースから取得する手段を有しており、
５．現在流行している洋服・着物・装身具・時計・バッグ・ヘアースタイル等のデータを取得する手段、
６．現在の季節、天候等の季報情報を取得する手段、
以下の７〜１３のステップを有しており、
７．自分の特徴と自分が好む相手の特徴を照合することによって絞り込まれた相手の表示により、選択した相手を入力し、それによって、相手側にその選択者の情報が表示され、相手側が、プロポウザルに対して同意または不同意を入力し、それによってデートする相手を確定させるステップ、
８．デートしたい日時、場所等について、双方により、それを確定させるステップ、
９．それにより、デートする時のコーディネーションを画面に表示するステップ、
１０．選択したコーディネーションについて、自分の保有していない品物を画面に表示するステップ、
１１．その品物を購入したい場合は、在庫のある店を表示するステップ、
１２．在庫がなく注文したい場合には、インターネットを通じて注文するステップ、
１３．必要に応じコーディネーション画面に表示されたヘアースタイルに仕上げてもらうための美容院もしくは理容室を選択し、予約するステップ
とからなることを特徴とする、コーディネーション支援システム。該システムは、結婚相談所とメンバーおよび化粧品店、衣装店、宝飾店、貸衣装店、美容室、理容室等が端末とが、インターネットでネットワークされており、環境データを外部データベースから取得し、その他の入力情報と合わせて解析処理可能なソウトウェアを搭載した中央演算処理装置を有していることを特徴とする、コーディネーション支援システム。該システムが開放型システム（open systems）であることを特徴とする、コーディネーション支援システム。
【実施例】
【００１１】
以下に本発明を実施例によって、説明するが、本発明は、実施例に限定されるものではない。コーディネート支援システムは、図１に示すように、ユーザー端末１と、営業者端末２と、中央演算処理装置とを備え、これらはインターネットのネットワークを介して接続されている。
【００１２】
登録者端末１と営業者端末２は、例えば通常のパーソナルコンピュータ等から構成され、図２に示すように、制御部１１と、記憶部１３と、入力部１５と、表示部１７と、通信部１９と、を備える。また、登録者端末１と営業者端末２には、デジタルカメラ、スキャナ、ビデオカメラ等の画像入力装置が接続可能である。
【００１３】
制御部１１は、記憶部１３に記憶された動作プログラムを実行して、コーディネートに
必要な個人データの入力、結婚相談所へのメンバー登録、営業者のサービス提供情報の入力によって取得されたデータの処理を行う。
【００１４】
例えば、制御部１１は、結婚相談所への登録者の操作に従って、デジタルカメラ等の画
像入力装置を介して登録者の特徴データ（顔写真、背の高さ、性格、血液型、趣味、年齢、好きな音楽、好きなタレント、結婚観、年収、保有しているお出かけ用の洋服・着物・装身具・時計・バッグ等）を取り込み、入力データに基づいて所定の利用者の特徴データを生成して記憶部１３に記憶する。データは、例えば、品物を特定するため品物ＩＤと、服飾品の画像データと、服飾品の分類名（例えば、「ジャケット」、「ブラウス」、「セータ」、「靴」、「帽子」等）等の属性情報を含む。また、制御部１１は、作成した特徴データと利用者のユーザーＩＤを登録要求とともに中央演算処理装置３に送信する。
【００１５】
また、制御部１１は、結婚相談所への登録者の好みの異性に関する情報入力を受け付け、入力されたデータを登録者ＩＤとともに中央演算処理装置３に送信して登録する。
【００１６】
また、制御部１１は、中央演算処理装置３から、結婚相談所の登録者の好みの異性の特
徴情報によって、候補に挙げられたデートする相手の情報を受信し、表示部１７に表示する。結婚相談所の登録者がデートしたい異性を選択すると、異性のユーザー端末の表示部１７に、選択した登録者の情報を表示する。異性の側では、その表示された登録者が自分の気に入った人であるかどうか決定する情報を入力し、返信しデートを希望した相手のユーザー端末の表示部１７に表示する。選択された相手側が、デートに同意の決定をした場合であれば、登録者とデートに同意した両者の間では、デートの日時、場所がインターネットを介して、確定する作業が行われる。
【００１７】
また、制御部１１は、登録者のデート決定情報に応じて、中央演算処理装置３にコーディネート情報を要求する。
【００１８】
また、制御部１１は、登録者のコーディネート要求に応じて中央演算処理装置３から供
給されるコーディネート情報を受信して表示部１７に表示する。このコーディネート情報とは、登録者の保有しているお出かけ用の洋服・着物・装身具・時計・バッグ等のデータ、および中央演算処理装置３側で取得した現在の季節、天候等の季報情報に基づいて、中央演算処理装置３によって作成されたコーディネートの画像データ等である。
【００１９】
また、制御部１１は、例えば、登録者が保有していない品物で、登録者が購入したいも
について、在庫店を表示させる。利用者は、画面から、店を選択し、その品物をクリックすれば、店の在庫状況が表示され、どの店を選択しても在庫がない場合には、インターネットにより、店に注文入れる。店からは、納入予定日が、出力されてくるので、その日に合わせて店にいくか、宅配便にて、品物が届くようにするか選択してやる。
【００２０】
また、制御部１１は、登録者の要求に応じ、化粧品店、衣装店、宝飾店、貸衣装店、美容室、理容院を画面に紹介するので、登録者は必要に応じ、インターネットにより予約できる。
【００２１】
記憶部１３は、登録者が入力した顔写真、背の高さ、性格、血液型、趣味、年齢、好き
な音楽、好きなタレント、結婚観、年収、保有しているお出かけ用の洋服・着物・装身具・時計・バッグ等服飾アイテムのアイテムデータ等を記憶する。入力部１５は、例えば、キーボード、マウス等の入力装置を含み、利用者から入力されたデータを制御部１１に通知する。表示部１７は、制御部１１からの指示に従って、サービスセンタ３から供給される仮コーディネート情報やコーディネート情報の画像等を表示する。通信部１９は、中央演算処理装置３等との通信を制御する。
【００２２】
中央演算処理装置３は、例えば、図３に示すように、登録者のデータベース３１ａ、営
業者のデータベース３１ｃ、気候等の季節情報のデータベース３１ｂを備える記憶部３１と、制御部３３と、通信部３５と、を備えるコンピュータであり、例えばスキャナ、デジタルカメラ等の画像入力装置が接続可能である。
【００２３】
記憶部３１は、制御部３３が実行するプログラムを記憶するとともに、処理に必要な各
種のデータを記憶する。登録者データベース３１ａには、各登録者が入力したデータが格納されている。登録者情報は、例えば図４に示すように、登録者が入力すべき、デートする相手を確定するために必要な情報および、コーディネートするために必要な、保有しているお出かけ用の洋服・着物・装身具・時計・バッグ等を含む。
【００２４】
また、登録者のデータベース３１ａには、登録者端末１に提供したデートする異性の候補が蓄積され、登録者の好みに応じて選択されたコーディネートの情報が、選択コーディネート情報として蓄積記憶される。
【００２５】
また、現在流行している洋服・着物・装身具・時計・バッグ・ヘアースタイル等のデー    タ情報をデジタルカメラやスキャナ等の画像入力装置を用いて予め記憶部３１に登録しておき、これらの流行モデルにおける構成アイテムや配色等を参考にして、流行性の高いコーディネート情報も作成する。なお、流行に関する情報は、例えば、雑誌に掲載されているコーディネートをスキャナで読み取ったり、店でよく売れている服飾品のコーディネートをデジタルカメラで撮影したりして取得してもよい。
【００２６】
次に、このコーディネーション支援の主なステップ動作について図７を参照して説明する。例えば登録者は、本システムを利用するための所定の会員登録を行った後、自分の特徴データを登録者端末１から入力する。次に絞りこまれたデートの相手が表示される。登録者は、デートしたい相手を入力する。相手側にそのデータが表示されると、相手側はそのプロポウザルに対して同意または不同意を入力する。これによって、デートのカップルは確定する。（ステップ６）。
【００２７】
デートする二人は、登録者端末１により、デートしたい日時、場所等について、双方により確定する（ステップ７）。
【００２８】
次に、中央処理装置３は、各データベース３１ａ、３１ｂ、３１ｃに登録されているデータ、インターネット等を介して取得した天候、気温、湿度等の情報、画像入力装置を介して取得した流行に関する情報等に基づいて、登録者にとって、デートする相手を惹きつけるような魅力ある複数パターンの仮コーディネート情報を作成して、登録者のユーザー端末１に供給する（ステップ８）。
【００２９】
登録者端末１は、中央演算処理装置３から仮コーディネート情報を取得し、各仮コーディネート情報が示すアイテムの組み合わせの画像を表示する。そして、登録者が気に入ったコーディネートの選択を受け付け、選択内容を中央演算処理装置３に送信する。登録者が保有していない品物を登録者端末１に表示する（ステップ９）。
【００３０】
中央処理装置３は、登録者端末１からの受信データに基づいて、登録者が購入したいという意思表示のあった品物について、在庫のある店を表示する（ステップ１０）。
【００３１】
そして、登録者は、購入したい場合は、インターネットを通じて注文を入れる（ステップ１１）。
【００３２】
次に、登録者端末１は、中央演算処理装置から、ヘアースタイルの候補情報を取得し、表示する（ステップ１２）。
【００３３】
登録者は、登録者端末により、魅力的なヘアースタイル、美容院または理容室を選択し、予約をする（ステップ１３）
【産業上の利用可能性】
【００３４】
なお、これによってデートが成功し、結婚に至り、幸せな結婚生活を送ることができるかどうかは、あくまでご両人の努力によるところが大であり、本発明の本質は、相手の第一印象を良くするためのコーディネーションを支援するシステムである。
【００３５】
本システムは、化粧品店、衣装店、ブティック、宝飾店、貸衣装店、美容室、結婚相談所、エステサロン等に導入し、顧客のサービス向上に有用であり、これによって、その業界のサービスレベルを向上させることができ、業界の業績向上に寄与する。また、入出力端末を各個人の家に設置し、化粧品店、衣装店、貸衣装店、美容室、宝飾店のネットワークすることにより、各店では、あらかじめ、顧客の選んだ品々を用意しておくことができ、顧客にとっては、買い物の品の選択に失敗しなくなり、買い物が簡便になるメリットが出てくる。
【図面の簡単な説明】
【００３６】
【図１】相手を惹きつけるコーディネーション支援システムの全体図
【図２】登録者端末１と営業者端末２
【図３】中央演算処理装置３
【図４】登録者情報
【図５】取得する環境データ
【図６】手段の構成
【図７】ステップ図
【符号の説明】
【００３７】
１  登録者端末
２  営業者端末
３  中央演算処理装置
１１  制御部
１３  記憶部
１５  入力部
１７  表示部
１９  通信部
３１  記憶部
３３  制御部
３５  通信部
【図１】
2006031314.tif 000003
【図２】
2006031314.tif 000004
【図３】
2006031314.tif 000005
【図４】
2006031314.tif 000006
【図５】
2006031314.tif 000007
【図６】
2006031314.tif 000008
【図７】
2006031314.tif 000009